(57)【要約】【課題】健康管理支援システムにおいて、体重調整を無理なく継続して実行できるようにし、生活習慣の改善を実現する。【解決手段】まず、体重調整目標を達成するのに必要な調整エネルギー量に応じて必要ポイント数を決定して表示する（ポイント決定処理）。次に、ポイント獲得項目の選択肢をその個別ポイント数とともに提示する（選択肢提示処理）。その後、ポイント獲得項目の選択肢について、対象者クライアントにおいて入力された実行結果を受け付ける（結果受付処理）。最後に、ポイント獲得項目の選択肢についての実行結果に基づき、所定の期間に獲得された個別ポイント数を表示する（ポイント表示処理）。これにより、体重調整目標を達成するのに必要な調整エネルギー量をポイントで管理することができ、面倒なカロリー計算を避けることが可能となる。【選択図】図３
2016004277.tif 000002
【特許請求の範囲】
【請求項１】
体重調整目標を達成するのに必要な調整エネルギー量に応じて必要ポイント数を決定して表示するポイント決定手段と、
ポイント獲得項目の選択肢をその個別ポイント数とともに提示する選択肢提示手段と、
この選択肢提示手段によって提示されたポイント獲得項目の選択肢について、対象者クライアントにおいて入力された実行結果を受け付ける結果受付手段と、
この結果受付手段によって受け付けられた実行結果に基づき、所定の期間に獲得された個別ポイント数を表示するポイント表示手段と
を有することを特徴とする健康管理支援システム。
【請求項２】
前記ポイント獲得項目の選択肢とその個別ポイント数との対応関係が記述されたポイントデータベースを備え、
前記選択肢提示手段は、前記ポイントデータベースを参照して前記ポイント獲得項目の選択肢をその個別ポイント数とともに提示することを特徴とする請求項１に記載の健康管理支援システム。
【請求項３】
前記ポイント表示手段は、前記所定の期間に獲得された個別ポイント数を表示する際に、この個別ポイント数を前記必要ポイント数と比較して目標達成度を表示することを特徴とする請求項１または２に記載の健康管理支援システム。
【請求項４】
前記ポイント決定手段は、前記必要ポイント数を表示する際に、この必要ポイント数を目標達成日数で除して１日当たりの平均必要ポイント数を算出して表示することを特徴とする請求項１乃至３のいずれかに記載の健康管理支援システム。
【請求項５】
前記体重調整目標を健診結果に基づいて設定する目標設定手段を有することを特徴とする請求項１乃至４のいずれかに記載の健康管理支援システム。
【請求項６】
前記選択肢提示手段によって提示されたポイント獲得項目の選択肢には、食品および運動に関連するものが含まれていることを特徴とする請求項１乃至５のいずれかに記載の健康管理支援システム。
【請求項７】
前記ポイント決定手段は、前記調整エネルギー量に応じて前記必要ポイント数を決定する際に、前記調整エネルギー量を一律に前記必要ポイント数に変換することを特徴とする請求項１乃至６のいずれかに記載の健康管理支援システム。
【請求項８】
体重調整目標を達成するのに必要な調整エネルギー量に応じて必要ポイント数を決定して表示するポイント決定工程と、
ポイント獲得項目の選択肢をその個別ポイント数とともに提示する選択肢提示工程と、
この選択肢提示工程において提示されたポイント獲得項目の選択肢について、対象者クライアントにおいて入力された実行結果を受け付ける結果受付工程と、
この結果受付工程において受け付けられた実行結果に基づき、所定の期間に獲得された個別ポイント数を表示するポイント表示工程と
を有することを特徴とする健康管理支援方法。
【請求項９】
体重調整目標を達成するのに必要な調整エネルギー量に応じて必要ポイント数を決定して表示するポイント決定処理と、
ポイント獲得項目の選択肢をその個別ポイント数とともに提示する選択肢提示処理と、
この選択肢提示処理によって提示されたポイント獲得項目の選択肢について、対象者クライアントにおいて入力された実行結果を受け付ける結果受付処理と、
この結果受付処理によって受け付けられた実行結果に基づき、所定の期間に獲得された個別ポイント数を表示するポイント表示処理と
をコンピューターに実行させることを特徴とする健康管理支援プログラム。
【発明の詳細な説明】
【技術分野】
【０００１】
本発明は、対象者が生活習慣の改善を目的として体重調整（減量または増量）を実行する際に適用するのに好適な健康管理支援システム、健康管理支援方法および健康管理支援プログラムに関するものである。
【背景技術】
【０００２】
従来、この種の健康管理支援システムにおいては、食事によるカロリー摂取量および運動によるカロリー消費量に基づいてカロリー摂取状態の良否（過不足）を判定し、健康管理に関するコメントを対象者に送信する技術が提案されていた（例えば、特許文献１参照）。
【先行技術文献】
【特許文献】
【０００３】
【特許文献１】特開２００１−２７５９９７号公報（段落〔００１６〕の欄）
【発明の概要】
【発明が解決しようとする課題】
【０００４】
しかしながら、このような従来の健康管理支援システムでは、カロリー摂取量やカロリー消費量の面倒な計算を前提とするため、体重調整を継続して実行するのが難しくて途中で断念してしまい、生活習慣の改善に至らない恐れがあった。
【０００５】
本発明は、このような事情に鑑み、面倒なカロリー計算を避けることにより、体重調整を無理なく継続して実行できるようにし、もって生活習慣の改善を実現することが可能な健康管理支援システム、健康管理支援方法および健康管理支援プログラムを提供することを目的とする。
【課題を解決するための手段】
【０００６】
かかる目的を達成するため、請求項１に記載の発明は、体重調整目標を達成するのに必要な調整エネルギー量に応じて必要ポイント数を決定して表示するポイント決定手段と、ポイント獲得項目の選択肢をその個別ポイント数とともに提示する選択肢提示手段と、この選択肢提示手段によって提示されたポイント獲得項目の選択肢について、対象者クライアントにおいて入力された実行結果を受け付ける結果受付手段と、この結果受付手段によって受け付けられた実行結果に基づき、所定の期間に獲得された個別ポイント数を表示するポイント表示手段とを有する健康管理支援システムとしたことを特徴とする。
【０００７】
また、請求項２に記載の発明は、請求項１に記載の構成に加え、前記ポイント獲得項目の選択肢とその個別ポイント数との対応関係が記述されたポイントデータベースを備え、前記選択肢提示手段は、前記ポイントデータベースを参照して前記ポイント獲得項目の選択肢をその個別ポイント数とともに提示することを特徴とする。
【０００８】
また、請求項３に記載の発明は、請求項１または２に記載の構成に加え、前記ポイント表示手段は、前記所定の期間に獲得された個別ポイント数を表示する際に、この個別ポイント数を前記必要ポイント数と比較して目標達成度を表示することを特徴とする。
【０００９】
また、請求項４に記載の発明は、請求項１乃至３のいずれかに記載の構成に加え、前記ポイント決定手段は、前記必要ポイント数を表示する際に、この必要ポイント数を目標達成日数で除して１日当たりの平均必要ポイント数を算出して表示することを特徴とする。
【００１０】
また、請求項５に記載の発明は、請求項１乃至４のいずれかに記載の構成に加え、前記体重調整目標を健診結果に基づいて設定する目標設定手段を有することを特徴とする。
【００１１】
また、請求項６に記載の発明は、請求項１乃至５のいずれかに記載の構成に加え、前記選択肢提示手段によって提示されたポイント獲得項目の選択肢には、食品および運動に関連するものが含まれていることを特徴とする。
【００１２】
また、請求項７に記載の発明は、請求項１乃至６のいずれかに記載の構成に加え、前記ポイント決定手段は、前記調整エネルギー量に応じて前記必要ポイント数を決定する際に、前記調整エネルギー量を一律に前記必要ポイント数に変換することを特徴とする。
【００１３】
また、請求項８に記載の発明は、体重調整目標を達成するのに必要な調整エネルギー量に応じて必要ポイント数を決定して表示するポイント決定工程と、ポイント獲得項目の選択肢をその個別ポイント数とともに提示する選択肢提示工程と、この選択肢提示工程において提示されたポイント獲得項目の選択肢について、対象者クライアントにおいて入力された実行結果を受け付ける結果受付工程と、この結果受付工程において受け付けられた実行結果に基づき、所定の期間に獲得された個別ポイント数を表示するポイント表示工程とを有する健康管理支援方法としたことを特徴とする。
【００１４】
また、請求項９に記載の発明は、体重調整目標を達成するのに必要な調整エネルギー量に応じて必要ポイント数を決定して表示するポイント決定処理と、ポイント獲得項目の選択肢をその個別ポイント数とともに提示する選択肢提示処理と、この選択肢提示処理によって提示されたポイント獲得項目の選択肢について、対象者クライアントにおいて入力された実行結果を受け付ける結果受付処理と、この結果受付処理によって受け付けられた実行結果に基づき、所定の期間に獲得された個別ポイント数を表示するポイント表示処理とをコンピューターに実行させる健康管理支援プログラムとしたことを特徴とする。
【発明の効果】
【００１５】
請求項１に記載の発明によれば、体重調整目標を達成するのに必要な調整エネルギー量をカロリーではなくポイント（必要ポイント数、個別ポイント数）で管理することにより、面倒なカロリー計算を避けることができる。したがって、対象者は、体重調整を無理なく継続して実行できるようになり、その結果、生活習慣の改善を実現することが可能となる。
【００１６】
しかも、ポイント獲得項目の選択肢の実行結果に基づき、所定の期間に獲得された個別ポイント数が表示されるので、対象者が定期的に体重調整の進捗状況を容易に把握することができる。その結果、対象者は、体重調整を長く続けることが可能となる。
【００１７】
また、請求項２に記載の発明によれば、ポイント獲得項目の選択肢とその個別ポイント数との対応関係が記述されたポイントデータベースを利用して、ポイント獲得項目の選択肢がその個別ポイント数とともに提示されるので、対象者は、ポイント獲得項目の選択肢およびその個別ポイント数を瞬時に知ることができ、ポイント獲得項目を素早く選択することが可能となる。
【００１８】
また、請求項３に記載の発明によれば、所定の期間に獲得された個別ポイント数が必要ポイント数と比較されて目標達成度が表示されるので、対象者は、自分の目標達成度を明確に知ることができ、積極的に体重調整を続けることが可能となる。
【００１９】
また、請求項４に記載の発明によれば、必要ポイント数を目標達成日数で除して１日当たりの平均必要ポイント数が表示されるので、対象者は、ポイント獲得の実行が容易となり、ひいては生活習慣の改善を実現しやすくなる。
【００２０】
また、請求項５に記載の発明によれば、体重調整目標を健診結果に基づいて設定する目標設定手段を有することから、対象者は、体重調整目標の入力作業を省くことができ、生活習慣の改善に取り組みやすくなる。
【００２１】
また、請求項６に記載の発明によれば、ポイント獲得項目の選択肢に、食品および運動に関連する項目が含まれているので、ポイント獲得項目の選択の幅が広がり、対象者の嗜好いかんを問わず体重調整を無理なく実行することが可能となる。
【００２２】
また、請求項７に記載の発明によれば、調整エネルギー量が一律に必要ポイント数に変換されるので、対象者は、たとえ体重調整目標が大きくても、身体に負担をかけることなく生活習慣の改善を実現することが可能となる。
【００２３】
さらに、請求項８、９に記載の発明によれば、請求項１と同様の効果を奏する。
【図面の簡単な説明】
【００２４】
【図１】本発明の実施の形態１に係る健康管理支援システムの全体構成図である。
【図２】同実施の形態１に係る健康管理支援システムを構成する健康管理支援サーバーの制御ブロック図である。
【図３】同実施の形態１に係る健康管理支援システムにおいて体重調整を実行する流れを示すフローである。
【図４】食品ポイントデータベースの第１例を示す図である。
【図５】食品ポイントデータベースの第２例を示す図である。
【図６】食品に関連するポイント獲得項目の選択肢およびその個別ポイント数の第１例を示す図である。
【図７】食品に関連するポイント獲得項目の選択肢およびその個別ポイント数の第２例を示す図である。
【図８】運動に関連するポイント獲得項目の選択肢およびその個別ポイント数の第１例を示す図である。
【図９】運動に関連するポイント獲得項目の選択肢およびその個別ポイント数の第２例を示す図である。
【図１０】個人情報等入力画面の模式図である。
【図１１】対象者の必要ポイント数を表示した画面の模式図である。
【図１２】所定の期間に獲得された個別ポイント数を表示した画面の模式図である。
【発明を実施するための形態】
【００２５】
以下、本発明の実施の形態について説明する。
［発明の実施の形態１］
図１乃至図１１には、本発明の実施の形態１を示す。
【００２６】
実施の形態１に係る健康管理支援システム１は、図１に示すように、健康管理支援サーバー２および３台の対象者クライアント３がインターネット５を介して互いに接続されて構成されている。
【００２７】
ここで、健康管理支援サーバー２は、図２に示すように、主制御部２１を備えており、主制御部２１には、プログラムメモリー２２、データメモリー２３、ポイント決定部２４、選択肢提示部２５、結果受付部２６、ポイント表示部２７などが接続されている。
【００２８】
そして、プログラムメモリー２２には、健康管理支援プログラムが読み出し自在に格納されている。また、データメモリー２３には、食品ポイントデータベースＤＢ１および運動ポイントデータベースＤＢ２が読み出し自在に格納されているとともに、すべての対象者に関する個人情報データベースＤＢ３が読み書き自在に格納されている。
【００２９】
この食品ポイントデータベースＤＢ１は、図４、図５に示すように、各種の食品（食べ物のみならず飲み物をも含む。）について、その種類・量と個別ポイント数との対応関係が記述されたファイルである。図４に示す食品ポイントデータベースＤＢ１には、例えば、おにぎり（梅）１個が３ｐの個別ポイント数に対応していることが記述されている。図５に示す食品ポイントデータベースＤＢ１には、例えば、グラスワイン８０ｍｌが２ｐの個別ポイント数に対応していることが記述されている。
【００３０】
一方、運動ポイントデータベースＤＢ２は、各種の運動について、その種類・量と個別ポイント数との対応関係が記述されたファイルである。
【００３１】
さらに、個人情報データベースＤＢ３は、対象者ごとに、その個人情報（名前、年齢、身長、体重、性別など）等が記述されたファイルである。
【００３２】
また、各対象者クライアント３はそれぞれ、図１に示すように、情報処理装置３１、キーボード等の入力装置３２および液晶ディスプレー等の出力表示装置３３を備えており、情報処理装置３１にはブラウザー（ウェブページ閲覧ソフト）がインストールされている。なお、この対象者クライアント３としては、インターネット５への接続機能を有する限り、いかなる端末でも使用可能であり、例えば、デスクトップ型やノート型のパーソナルコンピューター、スマートホン（高機能携帯電話）、タブレット型端末などが挙げられる。
【００３３】
次に、このような構成を有する健康管理支援システム１において、対象者が生活習慣の改善を目的として体重調整（減量または増量）を実行する際の手順について、図３に示すフローに基づいて説明する。なお、この体重調整は、対象者の現在の生活状況と比較して、食事量や運動量を適宜増減させることにより、遂行されるものである。
【００３４】
まず、対象者は、対象者クライアント３において、入力装置３２を操作してブラウザーを起動し、特定のサイトにアクセスする。すると、図１０に示すように、対象者の個人情報および体重調整目標の入力を受け付ける個人情報等入力画面Ｐ１が表示される。この個人情報等入力画面Ｐ１には、名前フィールドＦ１、年齢フィールドＦ２、身長フィールドＦ３、体重フィールドＦ４、男ラジオボタンＢ１、女ラジオボタンＢ２、体重調整目標フィールドＦ５、減量ラジオボタンＢ３、増量ラジオボタンＢ４、クリアボタンＢ５、送信ボタンＢ６が設けられている。そこで、この個人情報等入力画面Ｐ１において、対象者は、名前フィールドＦ１、年齢フィールドＦ２、身長フィールドＦ３、体重フィールドＦ４にそれぞれ、自分の名前、年齢、身長、体重を入力するとともに、男ラジオボタンＢ１または女ラジオボタンＢ２のいずれか一方をチェックして選択する。さらに、体重調整目標フィールドＦ５に自分の体重調整目標（例えば、５ｋｇ）を入力するとともに、減量ラジオボタンＢ３または増量ラジオボタンＢ４のいずれか一方をチェックして選択する。そして、入力ミスや選択ミスがないことを確認した上で、送信ボタンＢ６をクリックする。なお、入力ミスを見つけた場合には、送信ボタンＢ６をクリックする前にクリアボタンＢ５をクリックすることにより、各フィールドＦ１〜Ｆ５に入力された内容を消去することができる。
【００３５】
こうして、対象者クライアント３において対象者が個人情報および体重調整目標を入力して送信すると、この個人情報等は、インターネット５を通じて健康管理支援サーバー２に伝送される。そして、健康管理支援サーバー２は、健康管理支援プログラムをプログラムメモリー２２から読み出し、この健康管理支援プログラムに基づき、以下に述べるとおり、対象者に対して健康管理支援動作を行う。
【００３６】
まず、主制御部２１は、データ書込工程で、対象者クライアント３から健康管理支援サーバー２に伝送されてきた対象者の個人情報および体重調整目標を個人情報データベースＤＢ３に書き込む（データ書込処理）。
【００３７】
次いで、主制御部２１は、ポイント決定工程に移行し、ポイント決定部２４に対して、ポイント決定処理を指令する。この指令を受けて、ポイント決定部２４は、個人情報データベースＤＢ３をデータメモリー２３から読み出し、この個人情報データベースＤＢ３を参照して体重調整目標を拾い出した後、この体重調整目標を達成するのに必要な調整エネルギー量に応じて必要ポイント数を決定する。
【００３８】
すなわち、ポイント決定部２４は、調整エネルギー量が体重調整目標に正比例するとの基本的な考えに立脚して、体重調整目標に一定の変換率を乗じて調整エネルギー量を算出する。例えば、このときの変換率を７２００ｋｃａｌ／ｋｇとすれば、体重調整目標が２ｋｇである場合には、調整エネルギー量が１４４００ｋｃａｌと算出され、体重調整目標が５ｋｇである場合には、調整エネルギー量が３６０００ｋｃａｌと算出される。
【００３９】
次に、ポイント決定部２４は、こうして算出された調整エネルギー量から必要ポイント数を算出する。このとき、調整エネルギー量は、一律に（つまり、一定の変換率を乗じて）必要ポイント数に変換される。例えば、このときの変換率を１／５０ｐ／ｋｃａｌとすれば、調整エネルギー量が１４４００ｋｃａｌである場合には、必要ポイント数が２８８ｐと算出され、調整エネルギー量が３６０００ｋｃａｌである場合には、必要ポイント数が７２０ｐと算出される。
【００４０】
こうして、体重調整目標を達成するのに必要な調整エネルギー量に応じて必要ポイント数が決定されたところで、ポイント決定部２４は、この必要ポイント数をインターネット５を通じて対象者クライアント３に伝送する。すると、対象者クライアント３の情報処理装置３１は、図１１に示すように、この必要ポイント数を出力表示装置３３に表示する。図１１では、この対象者の必要ポイント数が６５ｐであることが表示されている。
【００４１】
次に、主制御部２１は、選択肢提示工程に移行し、選択肢提示部２５に対して、選択肢提示処理を指令する。この指令を受けて、選択肢提示部２５は、食品ポイントデータベースＤＢ１および運動ポイントデータベースＤＢ２をデータメモリー２３から読み出し、これらの食品ポイントデータベースＤＢ１および運動ポイントデータベースＤＢ２を参照して、食品および運動に関連するすべてのポイント獲得項目の選択肢およびその個別ポイント数を拾い出した後、このポイント獲得項目の選択肢およびその個別ポイント数をインターネット５を通じて対象者クライアント３に伝送する。
【００４２】
すると、対象者クライアント３の情報処理装置３１は、図６〜図９に示すように、このポイント獲得項目の選択肢をその個別ポイント数とともに出力表示装置３３に表示して提示する。図６では、例えば、麺を半分残すと２ｐの個別ポイント数が得られることが提示されている。図７では、例えば、焼酎ロック２杯をやめると５ｐの個別ポイント数が得られることが提示されている。図８では、例えば、自転車に２０分乗ると１ｐの個別ポイント数が得られることが提示されている。図９では、例えば、ラジオ体操を２回繰り返すと１ｐの個別ポイント数が得られることが提示されている。
【００４３】
そして、対象者は、このポイント獲得項目の選択肢からポイント獲得項目を選択したら、入力装置３２を操作して一旦ブラウザーを閉じる。その後、一定の時間（例えば、１日、１週間など）が経過した時点で、対象者は、再度、対象者クライアント３において、入力装置３２を操作してブラウザーを起動し、特定のサイトにアクセスする。すると、ポイント獲得項目の選択肢の実行結果の入力を受け付ける画面（図示せず）が表示される。そこで、この画面において、対象者は、ポイント獲得項目の選択肢の実行結果を入力して送信する。
【００４４】
すると、このポイント獲得項目の選択肢の実行結果は、インターネット５を通じて健康管理支援サーバー２に伝送される。そして、健康管理支援サーバー２において、主制御部２１は、結果受付工程に移行し、結果受付部２６に対して、結果受付処理を指令する。この指令を受けて、結果受付部２６は、対象者クライアント３から健康管理支援サーバー２に伝送されてきたポイント獲得項目の選択肢の実行結果を受け付ける。
【００４５】
最後に、主制御部２１は、ポイント表示工程に移行し、ポイント表示部２７に対して、ポイント表示処理を指令する。この指令を受けて、ポイント表示部２７は、結果受付部２６が受け付けた実行結果に基づき、所定の期間（例えば、１週間）に獲得された個別ポイント数をインターネット５を通じて対象者クライアント３に伝送する。すると、対象者クライアント３の情報処理装置３１は、図１２に示すように、この個別ポイント数を出力表示装置３３に表示する。
【００４６】
図１２では、この対象者の必要ポイント数が６５ｐであるのに対して、６月１日（日）に３ｐの個別ポイント数を獲得し、６月２日（月）に２ｐの個別ポイント数を獲得し、６月３日（火）に２ｐの個別ポイント数を獲得し、６月４日（水）に１ｐの個別ポイント数を獲得し、６月５日（木）に２ｐの個別ポイント数を獲得し、６月６日（金）には個別ポイント数が獲得できず、６月７日（土）に２ｐの個別ポイント数を獲得し、６月１日（日）から６月７日（土）までの１週間で合計１２ｐの個別ポイント数を獲得したことが表示されている。
【００４７】
そして、対象者は、この個別ポイント数を見れば、定期的に個別ポイント数の獲得状況、ひいては体重調整の進捗状況を容易に把握することができるため、体重調整を長く続けることが可能となる。
【００４８】
ここで、健康管理支援サーバー２による健康管理支援動作が終了する。
【００４９】
以上のとおり、この健康管理支援動作においては、体重調整目標を達成するのに必要な調整エネルギー量がカロリーではなくポイント（必要ポイント数、個別ポイント数）で管理されるので、面倒なカロリー計算を避けることができる。したがって、対象者は、体重調整を無理なく継続して実行できるようになり、その結果、生活習慣の改善を実現することが可能となる。
【００５０】
また、選択肢提示工程においては、ポイント獲得項目の選択肢とその個別ポイント数との対応関係が記述されたポイントデータベース（食品ポイントデータベースＤＢ１、運動ポイントデータベースＤＢ２）を利用して、ポイント獲得項目の選択肢がその個別ポイント数とともに提示される。したがって、対象者は、ポイント獲得項目の選択肢およびその個別ポイント数を瞬時に知ることができ、ポイント獲得項目を素早く選択することが可能となる。
【００５１】
さらに、選択肢提示工程においては、食品および運動の両方に関連するポイント獲得項目の選択肢が提示されるので、ポイント獲得項目の選択の幅が広がり、食事量の増減に抵抗がある対象者は、食事量は増減させずに運動量を増減させることにより、また、運動量の増減が苦手な対象者は、運動量は増減させずに食事量を増減させることにより、対象者の嗜好いかんを問わず体重調整を無理なく実行することが可能となる。
［発明のその他の実施の形態］
なお、上述した実施の形態１では、健康管理支援サーバー２による健康管理支援動作のポイント表示工程において、所定の期間に獲得された個別ポイント数を表示する場合について説明した。しかし、この所定の期間に獲得された個別ポイント数を表示する際に（個別ポイント数の表示に加えて、或いは、個別ポイント数の表示に代えて）、この個別ポイント数を必要ポイント数と比較して目標達成度（例えば、２０％、５０％など）を表示するようにしてもよい。さらに、このとき、この目標達成度についてアバターが、例えば、「既に３０％達成できています。」、「久しぶりですね。」などとコメントするようにしても構わない。また、この目標達成度に合わせてアバターが痩せたり太ったりするようにしてもよい。こうすれば、対象者は、自分の目標達成度を明確に知ることができ、積極的に体重調整を続けることが可能となる。
【００５２】
また、上述した実施の形態１では、健康管理支援サーバー２による健康管理支援動作のポイント決定工程において、体重調整目標を達成するのに必要な調整エネルギー量に応じて必要ポイント数を決定して表示する場合について説明した。しかし、この必要ポイント数を表示する際に（必要ポイント数の表示に加えて、或いは、必要ポイント数の表示に代えて）、この必要ポイント数を目標達成日数で除して１日当たりの平均必要ポイント数を算出して表示するようにしても構わない。例えば、必要ポイント数が１５０ｐで目標達成日数が３０日である場合、１日当たりの平均必要ポイント数は５ｐ／日となる。このとき、目標達成日数は、対象者クライアント３において、対象者が個人情報等入力画面Ｐ１で入力する手法が考えられる。こうすれば、対象者は、ポイント獲得の実行が容易となり、ひいては生活習慣の改善を実現しやすくなる。
【００５３】
また、上述した実施の形態１では、対象者が体重調整を実行する際に、個人情報等入力画面Ｐ１で対象者が自分の体重調整目標を入力する場合について説明した。しかし、対象者が体重調整目標を入力する代わりに、健康管理支援サーバー２の主制御部２１が、対象者の健診結果に基づき、例えばベイジアン推論エンジンを用いて、体重調整目標を適宜設定するようにしても構わない。こうすれば、対象者は、体重調整目標の入力作業を省くことができ、生活習慣の改善に取り組みやすくなる。
【００５４】
また、上述した実施の形態１では、健康管理支援サーバー２による健康管理支援動作の選択肢提示工程において、すべてのポイント獲得項目の選択肢を提示する場合について説明した。しかし、このとき、対象者の必要ポイント数（ポイント決定工程で決定された必要ポイント数）以下の個別ポイント数を有するポイント獲得項目の選択肢に限って提示することもできる。こうすれば、対象者の必要ポイント数を超える個別ポイント数を有するポイント獲得項目の選択肢が提示されなくなり、その分だけポイント獲得項目の選択肢が絞られる結果となる。したがって、対象者は、ポイント獲得項目を迅速かつ的確に選択することが可能となる。
【００５５】
さらに、食品に関連するポイント獲得項目の選択肢が提示されたのに対して、対象者が所定の食い合わせ（鰻と梅干し、テンプラとスイカなど）に該当する食物の組み合わせを選択した場合には、一緒に摂取すると害がある食い合わせである旨の警告を対象者に発するようにすることもできる。こうすれば、対象者は、食い合わせで健康を損ねる事態の発生を未然に防ぎつつ、生活習慣の改善を実現することが可能となる。
【００５６】
また、上述した実施の形態１では、図１に示すように、３台の対象者クライアント３がインターネット５に接続された健康管理支援システム１について説明した。しかし、対象者クライアント３の台数は、３台に限るわけではなく、１台以上であれば何台でも構わない。また、インターネット５に代えて、別の通信ネットワーク（例えば、ＬＡＮ、ＷＡＮ、イントラネットなど）を用いることも可能である。
【００５７】
また、上述した実施の形態１では、すべての対象者に関する個人情報データベースＤＢ３が健康管理支援サーバー２内にまとめて格納された健康管理支援システム１について説明した。しかし、個人情報データベースＤＢ３は、必ずしも健康管理支援サーバー２内にまとめて格納する必要はなく、例えば、各対象者クライアント３にそれぞれ別個に格納することもできる。
【００５８】
さらに、上述した実施の形態１では、健康管理支援サーバー２に健康管理支援プログラムが格納され、対象者クライアント３がインターネット５に接続されて、この健康管理支援プログラムがインターネット５経由で利用される場合について説明した。しかし、この健康管理支援プログラムを対象者クライアント３にインストールして、スタンドアローンで利用することも可能である。
【産業上の利用可能性】
【００５９】
本発明は、対象者が生活習慣の改善を目的として体重調整（減量・増量の別を問わない）を実行する際に幅広く適用することができる。
【符号の説明】
【００６０】
１……健康管理支援システム
２……健康管理支援サーバー（コンピューター）
３……対象者クライアント
５……インターネット
２１……主制御部（目標設定手段）
２２……プログラムメモリー
２３……データメモリー
２４……ポイント決定部（ポイント決定手段）
２５……選択肢提示部（選択肢提示手段）
２６……結果受付部（結果受付手段）
２７……ポイント表示部（ポイント表示手段）
３１……情報処理装置（選択肢提示手段、ポイント表示手段）
３２……入力装置
３３……出力表示装置（選択肢提示手段、ポイント表示手段）
ＤＢ１……食品ポイントデータベース（ポイントデータベース）
ＤＢ２……運動ポイントデータベース（ポイントデータベース）
ＤＢ３……個人情報データベース
Ｐ１……個人情報等入力画面
【図１】
2016004277.tif 000003
【図２】
2016004277.tif 000004
【図３】
2016004277.tif 000005
【図４】
2016004277.tif 000006
【図５】
2016004277.tif 000007
【図６】
2016004277.tif 000008
【図７】
2016004277.tif 000009
【図８】
2016004277.tif 000010
【図９】
2016004277.tif 000011
【図１０】
2016004277.tif 000012
【図１１】
2016004277.tif 000013
【図１２】
2016004277.tif 000014